(57)【要約】【課題】電池パックで動作する電動工具用であって、アダプタ部と共に電動工具本体も冷却することができるＡＣ−ＤＣアダプタを備えた電動工具を実現する。【解決手段】着脱可能な電池パックによって駆動可能な工具本体１と、電池パックに替えて工具本体に電源を供給するＡＣ−ＤＣアダプタ装置３０を備え、アダプタ装置３０には外部から電源コード６８を介して供給される交流電圧を工具本体に適した直流電圧に変換する電気回路部（５７、５８等）と、電気回路部を冷却する電動ファン５９が設けられる。アダプタ装置３０が工具本体１に装着されると、アダプタ装置の空気排出口３８、３９が工具本体１の空気取入口１８、１９と連通し、外部から取り込んだ冷却風ＣＡ１を、ＣＡ２、ＣＡ３のように流すことにより工具本体１内も冷却する。【選択図】図７
2018183827.tif 000002
【特許請求の範囲】
【請求項１】
着脱可能な電池パックによって駆動可能な工具本体と、
前記電池パックに替えて前記工具本体に電源を供給するアダプタ装置と、を備え、
前記アダプタ装置は、
前記工具本体と着脱可能なハウジングと、
外部からコードを介して供給される電源を前記工具本体に適した電源電圧に変換する電気回路部と、
前記電気回路部を冷却する冷却機構を備えたことを特徴とする電動工具。
【請求項２】
前記電源は交流電源であり、前記電気回路部には交流を整流する整流回路が含まれ、
前記アダプタ装置には前記工具本体の電極に装着される端子部が形成されることを特徴とする請求項１に記載の電動工具。
【請求項３】
前記冷却機構はモータによって回転する電動ファンであって、
前記ハウジングは、前記電動ファンによって前記ハウジング内に外気を取り込むための第一開口部と、前記ハウジング内に取り込んだ外気を前記ハウジング外に排出するための第二開口部と、を備え、
前記第一及び第二開口部を前記ハウジングの異なる面に設けたことを特徴とする請求項１又は２に記載の電動工具。
【請求項４】
前記工具本体には、二次電池を収容した前記電池パックを装着可能とする電源装着部が形成され、
前記電源装着部には、前記アダプタ装置と対向する位置に開口する吸入口が設けられ、
前記アダプタ装置を前記電源装着部に接続した状態において、前記第二開口部が前記吸入口と対向することにより前記アダプタ装置から前記工具本体に流れる風路が形成されることを特徴とする請求項３に記載の電動工具。
【請求項５】
前記アダプタ装置には、前記電源装着部に吸入口を有しない工具本体に接続された状態において前記第一開口部から吸引された外気を外部に排出させるための第三開口部がさらに形成され、
前記第三開口部は、前記ハウジングの前記第一開口部及び前記第二開口部が形成される面とは別の面に形成されることを特徴とする請求項４に記載の電動工具。
【請求項６】
前記アダプタ装置には、前記第一開口部から吸引された外気が、前記第二開口部から排出されるか、前記第三開口部から排出されるかを切り換える切替手段を有することを特徴とする請求項５に記載の電動工具。
【請求項７】
前記冷却機構をオン又はオフするためのスイッチを、前記アダプタ装置に設けたことを特徴とする請求項６に記載の電動工具。
【請求項８】
前記工具本体には、吸気口及び排気口と、前記吸気口から前記排気口へ風を流す冷却ファンと、を備え、前記吸気口から吸引された外気に前記吸入口から流入する空気が合流した後に、前記排気口から前記工具本体の外に排出されることを特徴とする請求項４乃至７のいずれか一項に記載の電動工具。
【請求項９】
前記アダプタ装置は、前記工具本体に接続される第一アダプタ部と、電源コンセントに接続される端子部を備えた第二アダプタ部と、を備え、
前記第一アダプタ部に前記冷却ファンを収容したことを特徴とする請求項３乃至８のいずれか一項に記載の電動工具。
【請求項１０】
前記電気回路部は、交流を直流に変換する整流回路部と、前記整流回路部からの出力を平滑する平滑回路部と、を備え、
前記整流回路部及び前記平滑回路部を前記第一アダプタ部に収容したことを特徴とする請求項９に記載の電動工具。
【請求項１１】
前記ハウジングには、照射装置が設けられることを特徴とする請求項３乃至１０のいずれか一項に記載の電動工具。
【請求項１２】
前記照射装置はＬＥＤであって、前記ハウジングの装着方向と直交する面、又は/及び、平行する側面に配置され、前記ハウジングには前記ＬＥＤをオン又はオフするためのスイッチが設けられることを特徴とする請求項１１に記載の電動工具。
【請求項１３】
前記照射装置は前記ハウジングの取付け面に沿って、又は、取り付け面に対して回転又は移動可能であって、照射方向を変更することができることを特徴とする請求項１２に記載の電動工具。
【発明の詳細な説明】
【技術分野】
【０００１】
本発明は電池パックを電源とする電動工具に関し、電池パックに替えて装着でき、使い勝手が良くて信頼性の高いＡＣ−ＤＣアダプタを用いた電動工具を提供することにある。
【背景技術】
【０００２】
リチウムイオン電池等の二次電池を用いた電池パックにて駆動させるコードレス方式の
電動工具が普及している。例えば、モータにより先端工具を駆動する手持ち式の電動工具においては、複数の二次電池セルを収容した電池パックを用い、電池パックに蓄電された電気エネルギーにてモータを駆動する。電池パックは電動工具本体に着脱可能に構成され、作業に伴って電池電圧が低下したら、電池パックを電動工具本体から取り外して外部充電器を用いて充電する。図１２は従来の電動工具本体２０１に電池パック２３０を装着する状態を示す側面図（一部断面図）である。電動工具本体２０１の内部には、ブラシレス方式のモータ５が収容され、電池パック２３０から供給される直流電力によって駆動される。モータ５の後方には複数のスイッチング素子を含んで構成されるインバータ回路を搭載する回路基板６が設けられる。電池パック２３０は、内部に図示しないリチウムイオン電池等のセルが複数本収容され、電動工具本体２０１の電池パック装着部２１０に着脱可能に取り付けられる。図１２の例では電池パック２３０は電動工具本体２０１の前方側から後方側に向けて移動させながら装着するもので、電池パック２３０の装着方向は電動工具本体２０１から見て前から後方向になる。尚、電動工具における電池パック２３０の装着方向はこの方向だけに限られずに、後から前方向に装着するものや、右から左方向又は左から右方向に装着するもの、上から下方向に装着するもの等、様々な電動工具がある。
【０００３】
図１３は従来の電動工具におけるモータ５を駆動する駆動回路の概略構成を示す図である。モータ５には、インバータ回路９１により３相の駆動電流が供給される。インバータ回路９１は、ＦＥＴ（電界効果トランジスタ）やＩＧＢＴ（絶縁ゲートバイポーラトランジスタ）等のスイッチング素子Ｑ１〜Ｑ６を含んで構成され、マイクロコンピュータ（以下、「マイコン」と称する）を含んだ制御装置９０によって制御される。インバータ回路９１には電池パック２３０からの直流電力が供給される。マイコンは、複数のホールＩＣを含む位置検出回路９２の出力を用いて所定のタイミングにてスイッチング素子Ｑ１〜Ｑ６のゲート信号をハイ又はローにする。
【０００４】
コードレス型の電動工具においては、電動工具から延びる電源コードが無いため大変使い易いが、電池パックの容量の制限により稼働時間が制限されてしまう。また、モータの高出力化を進めると消費電力が増大してしまうので稼働時間が短くなってしまう。この対策として特許文献１のように電池パックを用いる電動工具において、電池パックに替えて商用交流電源を用いたＡＣ−ＤＣアダプタを装着することによりＡＣ電源によって駆動することも可能とした電動工具が知られている。
【先行技術文献】
【特許文献】
【０００５】
【特許文献１】特開２０１５−０８２９３１号公報
【発明の概要】
【発明が解決しようとする課題】
【０００６】
特許文献１のようにＡＣ−ＤＣアダプタを用いてコードレス型の電動工具を稼働させることにより、電池パックの容量に制限されない長時間の連続作業が可能となる。一方で、高出力状態にて長時間連続作業を行うことにより、電動工具本体及びＡＣ−ＤＣ電源部の熱の問題、つまり温度上昇の問題が生じてくる。特に、特許文献１の技術では、ＡＣ−ＤＣアダプタに内蔵した冷却ファンによって二次電池を冷却しているものの、ＡＣ−ＤＣ電源部を冷却していないため、ＡＣ−ＤＣ電源内の回路部品の発熱を抑えることはできない
。また、高温度の環境下において、電動工具本体２０１をＡＣ−ＤＣ電源部を用いて長時間の作業を行うと温度上昇が大きくなって温度保護機能が働いてしまう虞があった。
【０００７】
本発明は上記背景に鑑みてなされたものであって、本発明の目的はＡＣ−ＤＣ電源部を効果的に冷却できるようにした電動工具を提供することにある。
本発明の他の目的は、ＡＣ−ＤＣ電源部から電動工具本体の冷却を行うようにして電動工具の長時間の安定した作業を可能とした電動工具を提供することにある。
本発明のさらに他の目的は、ＡＣ−ＤＣ電源部が大きくなることを抑制できる電動工具を提供することにある。
【課題を解決するための手段】
【０００８】
本願において開示される発明のうち代表的な特徴を説明すれば次のとおりである。
本発明の一つの特徴によれば、着脱可能な電池パックによって駆動可能な工具本体と、電池パックに替えて工具本体に電源を供給するアダプタ装置を備え、アダプタ装置は、工具本体と着脱可能なハウジングと、外部からコードを介して供給される電源を工具本体に適した電源電圧に変換する電気回路部と、電気回路部を冷却する冷却機構を有する。電源は交流電源であり、電気回路部には交流を整流する整流回路が含まれる。アダプタ装置には工具本体の電極に装着される端子部が形成される。冷却機構はモータによって回転する電動ファンであって、ハウジングは、電動ファンによってハウジング内に外気を取り込むための第一開口部と、ハウジング内に取り込んだ外気をハウジング外に排出するための第二開口部を備え、第一開口部と第二開口部をハウジングの異なる面に設けた。
【０００９】
本発明の他の特徴によれば、工具本体には二次電池を収容した電池パックを装着可能とする電源装着部が形成され、電源装着部にはアダプタ装置と対向する位置に開口する吸入口が設けられ、アダプタ装置を電源装着部に接続した状態において、第二開口部が吸入口と対向することによりアダプタ装置から工具本体に流れる風路が形成されるようにした。アダプタ装置には、電源装着部に吸入口を有しない工具本体に接続された状態において第一開口部から吸引された外気を外部に排出させるための第三開口部がさらに形成され、第三開口部はハウジングの第一開口部及び第二開口部が形成される面とは別の面に形成される。また、アダプタ装置には第一開口部から吸引された外気が、第二開口部から排出されるか、第三開口部から排出されるかを切り換える切替手段を設けた。冷却機構は、ハウジングの側面に設けられたスイッチによってオン又はオフにすることができる。
【００１０】
本発明のさらに他の特徴によれば、工具本体には冷却のために外気を取り込む吸気口と、冷却後の空気を排出される排気口と、吸気口から排気口へ風を流す冷却ファンを備え、吸気口から吸引された外気に吸入口から流入する空気が合流した後に、排気口から工具本体の外に排出されるように構成した。アダプタ装置は、工具本体に接続される第一アダプタ部と、電源コンセントに接続される端子部を備えた第二アダプタ部を備え、第一アダプタ部に冷却ファンを収容する。電気回路部は、交流を直流に変換する整流回路部と、整流回路部からの出力を平滑する平滑回路部を備え、整流回路部及び平滑回路部を第一アダプタ部に収容するようにした。
【００１１】
本発明のさらに他の特徴によれば、ハウジングにはＬＥＤ等の照射装置が設けられ、照射装置はハウジングの装着方向と直交する面、又は/及び、平行する側面に配置される。ハウジングには照射装置をオン又はオフするためのスイッチが設けられ、使用者は手動にて照射装置を点灯又は消灯させることができる。照射装置はハウジングの取付け面に沿って、又は、取り付け面に対して回転又は移動可能であって、照射方向を任意に変更できるように構成すると好ましい。
【発明の効果】
【００１２】
本発明によれば、ＡＣ−ＤＣアダプタ装置内に風路を形成するとともに電動ファン等の冷却機構を設けたので、アダプタ装置のＡＣ−ＤＣ電源部を効率良く冷却できる。また、アダプタ装置から電動工具本体へ連通させる風路を構成して、冷却機構による冷却風を電動工具本体側へも送出できるので、電動工具本体に収容されるモータや発熱する電子部品等を連続して効率良く冷却することができる。さらに、アダプタ装置は電気回路部を複数のハウジング内に分散して配置したため、電動工具本体に装着されるハウジング部分の大型化を抑えることができ、小型軽量で作業性の良いアダプタ装置を実現できる。
【図面の簡単な説明】
【００１３】
【図１】本発明の実施例に係るＡＣ−ＤＣアダプタ２５の側面図である。
【図２】図１の第一アダプタ部３０の外観図であり、（１）は上面図、（２）は左側面図（一部断面図）、（３）は後面図である。
【図３】図２の第一アダプタ部３０の断面図であり、（１）は図２（２）のＢ−Ｂの断面図、（２）はＡ−Ａ断面図（一部側面図）、（３）は（２）のＣ−Ｃ断面図である。
【図４】図１の第二アダプタ部７０の断面図であり、（１）は横断面図であり、（２）は（１）のＤ−Ｄ断面図である。
【図５】電動工具本体１にＡＣ−ＤＣアダプタ２５を装着した際の回路構成を示すブロック図である。
【図６】電動工具本体１の電池パック装着部１０の底面図である。
【図７】新型の電動工具本体１にＡＣ−ＤＣアダプタ２５を装着した際の風の流れを説明するための図である。
【図８】（１）は空気排出口４０が閉鎖されている状態を示す部分拡大断面図であり、（２）は空気排出口４０が開放されている状態を示す図である。
【図９】（１）は従来の電動工具本体２０１の電池パック装着部１１０の斜視図であり、（２）は第一アダプタ部３０を従来の電動工具本体２０１に取り付けた際の空気排出口４０の状態を示す上面図であり、（３）は第一アダプタ部３０の側面図でありその一部を断面図（（２）のＥ−Ｅ断面）で示す図である。
【図１０】（１）は従来の電動工具本体２０１の電池パック装着部１１０に第一アダプタ部３０を装着した際の風の流れを説明するための図である。
【図１１】本発明の第二の実施例に係るＡＣ−ＤＣアダプタ１２５を示す断面図であり、（１）は横断面図であり、（２）縦断面図（一部側面図）である。
【図１２】従来の電動工具を示す側面図であり、電動工具本体２０１に電池パック２３０を装着する状態を示す図である。
【図１３】従来の電動工具のモータの駆動回路の概略構成を示すブロック図である。
【発明を実施するための形態】
【実施例１】
【００１４】
以下、本発明の実施例を図面に基づいて説明する。なお、以下の図において、同一の部分には同一の符号を付し、繰り返しの説明は省略する。また、本明細書においては、電動工具の前後左右、上下の方向は図中に示す方向であるとして説明し、第一アダプタ部３０、ＡＣ−ＤＣアダプタ１２５の単体部分の方向を説明する際は、装着方向を基準にして図中に示す方向であるとして説明する。
【００１５】
図１は本発明の実施例に係るＡＣ−ＤＣアダプタ２５の側面図である。ＡＣ−ＤＣアダプタ２５は、商用電源より交流電力を入力し、電動工具本体に合わせた直流電力を出力するＡＣ−ＤＣ電源部を有する電源変換装置である。ここでは、ＡＣ−ＤＣアダプタ２５は電池パック２３０（図１２参照）と同じ又はほぼ同じ定格電圧にて電動工具本体に供給する。本実施例に係るＡＣ−ＤＣアダプタ２５は、それぞれがハウジングを有する２つの主な部位、即ち、第一アダプタ部３０と第二アダプタ部７０により構成される。第一アダプタ部３０は、電池パック２３０と同形状の装着機構を有するもので、電池パック２３０の代わりに電動工具本体に装着される。第二アダプタ部７０は図示しない電源コンセントへ差し込まれるプラグ部分（端子７４ａ、７４ｂ）を有し、電源コンセントに装着される。第一アダプタ部３０と第二アダプタ部７０の間は所定の長さ（例えば２ｍ）の電源コード６８によって接続される。
【００１６】
第一アダプタ部３０は、下側に開口面を有する上側ハウジング３１と上側に開口面を有する下側ハウジング５１を連結することによって所定の大きさのハウジングが形成されるもので、ここでは電池パック２３０（図１２参照）と相似形とされる。第一アダプタ部３０の上方であって左右両側には、装着された第一アダプタ部３０を電動工具本体から取り外すためのリリースボタン４７が設けられる。第一アダプタ部３０から延びる電源コード６８は、装着方向（図１２参照）の前側となる前方壁３０ａから外部に延びるように配置される。第一アダプタ部３０の装着方向からみて左側側面には、電動工具本体１の周囲を照射するための照射装置６４が設けられる。照射装置６４は点線にてその照射範囲を示すように第一アダプタ部３０の後側（電動工具本体からみたら正面側）を照射する。照射装置は第一アダプタ部３０の右側側面と、後側側面にも同様に設けられるが詳細は後述する。照射装置６４は導光部６４ａを有し、導光部６４ａは矢印５０ｂのように第一アダプタ部３０の側壁面に沿って回転可能とされ、点線に示す照射方向を電動工具の上側〜前側から下側まで変更することが可能である。この回転角度は任意であって９０〜１８０度程度あれば十分であるが、それ以上の回動を可能としても良い。
【００１７】
第一アダプタ部３０の右側側面には、照射装置６２、６４、６６（６２と６６は後述）を一括して点灯又は消灯するためのライトスイッチ５５ａが設けられる。また、ライトスイッチ５５ａの近傍には、第一アダプタ部３０の内部に搭載された冷却機構（図３にて後述）のオン又はオフにするファンスイッチ５５ｂが設けられる。ライトスイッチ５５ａとファンスイッチ５５ｂは、例えばタクタイルスイッチなどのライトタッチスイッチを、表面に印刷が施された可撓性のシートで覆うことで構成できる。
【００１８】
第二アダプタ部７０は、下側に開口面を有する上側ハウジング７１と上側に開口面を有する下側ハウジング７２の開口面どおしを連結するようにして所定の大きさのハウジングを形成したものである。ハウジングの前方側の側面７０ａには２つの金属端子を有するプラグ部７４が設けられ、プラグ部７４が商用電源のコンセントに差し込まれる。ここでは第二アダプタ部７０の大きさが第一アダプタ部３０の大きさと同等程度に図示しているが、第二アダプタ部７０の大きさは任意であり、ハウジングの内部に必要な電子部品を装着するのに必要最小限程度の大きさで、電源コンセントに容易に装着できるような大きさや形状とすれば良い。また、図示していないが上側ハウジング７１又は下側ハウジング７２の一部に通電状況を示すＬＥＤ等によるランプを設けるようにしても良い。第二アダプタ部７０のプラグ部７４が設けられる側面とは異なる面、ここでは対向する側面７０ｂには第一アダプタ部３０と接続するための電源コード６８が引き出される。
【００１９】
図２は第一アダプタ部３０の外観図であり、（１）は上面図、（２）は左側面図（一部断面図）、（３）は後面図である。図２（１）に示す第一アダプタ部３０の上面部分は、一部を除いて図１２で示した従来の電池パック２３０の上面部分の全く同じ形状として電池パック２３０との互換性を保っている。つまり、従来の電池パック２３０の替わりに本実施例のＡＣ−ＤＣアダプタ２５を電動工具本体２０１（図１２参照）に装着することで、ＡＣ電源を用いて電動工具を使用できる。上側ハウジング３１には、電池パック装着部１０に取り付けるために、装着方向と平行な方向に延びる２本のレール３６ａ、３６ｂが形成された装着部が形成される。レール３６ａ、３６ｂは、電動工具本体１の電池パック装着部１０に形成されたレール溝１１ａ、１１ｂ（図６にて後述）と対応して形成され、レール３６ａ、３６ｂがレール溝１１ａ、１１ｂと嵌合した状態で、図示しないラッチ機構が動作することにより第一アダプタ部３０が電動工具本体１に固定される。上側ハウジング３１の前方側は平らな下段面３２が形成され、中央付近は下段面３２よりも高く形成された上段面３３が形成される。下段面３２と上段面３３の接続部は段差状に形成され、その段差部から後方側に切り欠かれた複数の端子挿入口３７が形成される。端子挿入口３７の内部には電動工具本体側の端子が挿入され、端子と電気的に接触するための電極が設けられる。
【００２０】
上段面３３の後方側には、隆起するように形成された隆起部３４が形成される。隆起部３４はその外形が上段面３３より上側に隆起しており、その中央付近に窪み状のストッパ部３５が形成される。ストッパ部３５は、第一アダプタ部３０を、電池パック装着部１０の突起部１４（図６にて後述）に装着した際の突き当て面となるもので、電動工具本体１側の突起部１４がストッパ部３５に当接するまで挿入されると、電動工具本体１に配設された複数の端子１３ａ〜１３ｃ（図６にて後述）と第一アダプタ部３０に配設された電極群が接触して導通状態となる。下段面３２と上段面３３には、それぞれ複数のスリット状の空気排出口３８、３９が形成される。空気排出口３８、３９は、第一アダプタ部３０の内部から電動工具本体１側に送出するための風窓になるものであり、第一アダプタ部３０が電動工具本体１に装着された状態では、空気排出口３８、３９が外部から視認できないように覆われる位置にある。第一アダプタ部３０の上面の後方側には空気排出口４０が設けられる。空気排出口４０は、３本のスリット状の開口であって、スライド式で３本の開口部４１ａを有するシャッター４１によって開閉される。空気排出口４０は、空気排出口３８、３９から電動工具本体１側に空気を排出できない際に、大気中にその空気を排出するための第三の開口部となる。シャッター４１は第一アダプタ部３０の傾斜面３１ａの内側に配置させた板状の部材であり、上端付近に連結されたコの字状の作用片４２が形成される。作用片４２の左右両側の前端部分は、ストッパ部３５の凹状部分の角部にわずかに突出する。
【００２１】
下側ハウジング５１の側面部には、照射装置６４、６６が設けられる。照射装置６４、６６は図２（１）のように上面視において直角三角形のように突出するように形成されたカバー６４ａ、６４ｂを有し、カバー６４ａ、６４ｂを回転させることによって第一アダプタ部３０の後側から上側〜下側に至るうち任意の方向を照射することができる。
【００２２】
図２（２）は第一アダプタ部３０の側面図である。ここでは空気排出口４０の近傍付近を断面図にて示しており、その断面位置は図２（１）のＡ−Ａ部の断面図である。シャッター４１は平行する側面部分が上側ハウジング３１の内側に形成された複数のリブ４６によって、摺動可能に保持されている。またシャッター４１の後方側位置は、作用片４２の凹状の底辺部分がリブ４６に当接することによって制限される。また作用片４２とリブ４６の最上位部分の間にはスプリング４５が介在される。
【００２３】
図２（３）は第一アダプタ部３０の後面図、即ち装着方向からみて後側の側面である。後側から見える部分であって、上側ハウジング３１には３本のスリット状の空気排出口４０が形成される。また、下側ハウジング５１の壁面には、開口となる取付部６１が形成され、そこの照射装置６２が設けられる。照射装置６２は中央にＬＥＤ６３が配置され、水平方向の軸線を中心に矢印５０ａの方向に揺動させることによりＬＥＤ６３からの照射方向を上下方向の所定範囲内で変更できる。下側ハウジング５１の装着方向からみて左側側面と右側側面には、それぞれ照射装置６４、６６の回転基台６４ｂ、６６ｂが突出する。ここでは、回転基台６４ｂ、６６ｂの壁面囲まれる空間の開口部（光が照射される面）が、装着方向後方側に向いている状態を示しているが、回転基台６４ｂ、６６ｂを回転させることによりその照射方向を変更することも可能である。
【００２４】
図３は第一アダプタ部３０の断面図であって、（１）は図２（２）のＢ−Ｂの断面図である。第一アダプタ部３０の内部には回路基板５６が水平方向に配置される。回路基板５６にはブリッジダイオード５７と、電解コンデンサ５８が主に搭載される。ブリッジダイオード５７は、４つのダイオードをブリッジ状に接続した状態で一つのパッケージに収めたものである。第一アダプタ部３０の内部には冷却用の電動ファン５９が設けられ、発熱しやすいブリッジダイオード５７を冷却する。電動ファン５９は、例えば整流されたＤＣ電源を用いて回転する汎用のファンユニットである。
【００２５】
照射装置６４、６６は同形状の共通部品であって、下側ハウジング５１形成された円形の貫通孔の内側部分に基板６４ｃ、６６ｃが配置され、基板６４ｃ、６６ｃの中央にはＬＥＤ（発光ダイオード）６５、６７がそれぞれ配置される。ＬＥＤ６５、６７の外側には反射板を兼ねたカバー６４ａ、６６ａにて覆われ、ＬＥＤ６５、６７はリード線６４ｄ、６６ｄによって回路基板５６に接続される。下側ハウジング５１の他の側面に形成された取付部６１に配置される照射装置６２は、揺動軸６２ｂを中心に揺動する揺動基台６２ａを有し、そこに基板６２ｃが設けられる。基板６２ｃの中央にはＬＥＤ６３が搭載され、ＬＥＤ６３と回路基板５６との間はリード線６２ｄによって接続される。回路基板５６の後方側にはスイッチユニット５４が設けられる。
【００２６】
図３（２）は、図２（１）のＡ−Ａ断面図（一部側面図）である。ここでわかるように電解コンデンサ５８は円筒状の中心線が回路基板５６と直交するように鉛直方向に延びるように配置される。一方、ブリッジダイオード５７はその仮想中心線Ｆ１が回路基板５６に対して斜めになるように配置される。これは、ブリッジダイオード５７を斜めに配置することにより、第一アダプタ部３０の高さを低く抑えて小型化を図ると共に、電動ファン５９から黒矢印のように排出される冷却風を空気排出口３８、３９又は空気排出口４０側に効率良く案内するためである。
【００２７】
図３（３）は（２）のＣ−Ｃ断面図である。電源コード６８は第一アダプタ部３０の装着方向前側側面から外部に引き出される。また、電源コード６８の引き出し位置は、左右中心より片側（電動ファン５９の位置と反対側）にオフセットして配置される。電源コード６８を引き出す位置は、装着方向の前側側面からに限られずに、装着方向からみて後側側面、右側側面、左側側面、底面部分からいずれかから引き出すように構成しても良い。しかしながら、インパクトドライバのような電動工具においては、装着方向の底面部分を避けるようにすれば電動工具を床などに正立状態で置く際に有利である。
【００２８】
次に図４を用いて第二アダプタ部７０の内部構造を説明する。図４（１）は横断面図であり、（２）は（１）のＤ−Ｄ断面図である。本実施例のＡＣ−ＤＣアダプタ２５（図１参照）においては、第一アダプタ部３０と第二アダプタ部７０という２つの別のハウジングに、分散して電子部品を収容するようにした。第二アダプタ部７０は主に商用電源のコンセントに差し込むためのプラグ部７４を配置するためのものであるが、ここでは第二アダプタ部７０に回路基板７３を設けて、ヒューズ７５、アバランシェダイオード７６、チョークコイル７７、コンデンサ７８を搭載する。プラグ部７４は回路基板７３にて固定され、平行する２本の端子がハウジングから外部に突出する。図３及び図４にて説明したように、ＡＣ−ＤＣアダプタ２５に必要な電子部品を第一アダプタ部３０と第二アダプタ部７０に分散して配置したことにより、第一アダプタ部３０側の小型、軽量化が可能となった。また、第二アダプタ部７０側には発熱の少ない部品を搭載すると共に、雑防素子などを搭載することにより効果的なノイズ対策、高調波対策を行うことができた。さらに、発熱を伴う電子素子を、冷却装置（電動ファン５９）を有する第一アダプタ部３０内に配置したので、冷却面でも有利となり長時間の作業も安定して行うことができる。
【００２９】
次に図５を用いて電動工具本体１の回路構成を説明する。電動工具本体１にＡＣ−ＤＣアダプタ２５を装着した際の回路構成を示すブロック図である。本実施例では図１３にて示した従来の回路図の電池パック２３０に替えて商用電源９９から定電圧の直流を得るためのＡＣ−ＤＣアダプタ２５を構成する回路部分が追加されるものである。電動工具本体１側に搭載される制御装置９０、インバータ回路９１、モータ５、位置検出回路９２の構成は従来の電動工具本体２０１と同じである。制御装置９０は、モータのオンオフ及び回転制御を行うものであって、図示しないマイコンを用いて主に構成される。制御装置９０は電動工具本体の制御回路基板９（図１２参照）に搭載され、トリガ４（図１２参照）の操作に伴い入力される起動信号に基づき、モータ５を回転させるためにコイルＵ、Ｖ、Ｗへの通電時間と駆動電圧を制御する。制御装置９０の出力は、インバータ回路９１の６個のスイッチング素子Ｑ１〜Ｑ６の各ゲートに接続され、各スイッチング素子Ｑ１〜Ｑ６をオン又はオフするための駆動信号を供給する。
【００３０】
インバータ回路９１の６個のスイッチング素子Ｑ１〜Ｑ６の各エミッタ又は各コレクタは、スター接続されたモータ５のコイルのＵ相、Ｖ相、Ｗ相に接続される。スイッチング素子Ｑ１〜Ｑ６は、制御装置９０から入力される駆動信号に基づきスイッチング動作を行い、インバータ回路９１に入力される直流電圧を、３相（Ｕ相、Ｖ相、Ｗ相）電圧Ｖｕ、Ｖｖ、Ｖｗとして、モータ５に供給する。モータ５に供給される電流の大きさは、回路中に挿入された電流検出抵抗（図示せず）の両端の電圧を検出することによって制御装置９０が算出できるように構成すると良い。
【００３１】
ＡＣ−ＤＣアダプタ２５には点線で含む４つの主要な回路が含まれ、このうち保護回路とフィルタ回路は第二アダプタ部７０内に収容され、全波整流回路、ノイズ除去回路と、電動ファンと、照射装置が第一アダプタ部３０内に収容される。保護回路には、過電流の際に回路を直ちに遮断するヒューズ７５と、過電圧の際にアースに導通することにより下流側の電気回路を保護するためのアバランシェダイオード７６が設けられる。フィルタ回路は、高周波ノイズを除去するためのチョークコイル７７とコンデンサ７８が含まれる。全波整流回路は第一アダプタ部３０に収容されるものであり、ブリッジダイオード５７等によって構成される。全波整流回路の出力側であって、インバータ回路９１との間にはノイズ除去回路が設けられる。ノイズ除去回路は、整流化された電源のノーマルモードノイズやコモンモードノイズを除去するための回路である。ここでは、ダイオード９３と電解コンデンサ９４の直列接続回路が、大容量の電解コンデンサ５８と並列に接続される。
【００３２】
全波整流回路とノイズ除去回路の間には、電動ファン５９が接続される。電動ファン５９は内部にファン用モータ６０を有するファンユニットであり、ファン用モータ６０を駆動するためのファン駆動回路６０ａも含まれる。ファン用モータ６０のオン又はオフは、ファンスイッチ５５ｂ（図１も参照）によって手動により設定される。尚、ファンスイッチ５５ｂを省略して第二アダプタ部７０をコンセントに差し込んだら常時に電動ファン５９が回転するようにしても良い。また、第二アダプタ部７０から電動工具本体１側へ所定量以上の電流が流れたときに、所定時間だけ電動ファン５９を回転させるようにしても良い。ノイズ除去回路とインバータ回路９１の間には、照射装置６２、６４、６６用の電源が引き出される。ＬＥＤ６３、６５、６７は一つのライトスイッチ５５ａ（図１も参照）によって同時に点灯又は消灯される。照射装置６２、６４、６６用の点灯回路内には、流れる電流を制限するための抵抗Ｒｃが設けられる。なお、ＬＥＤ６３、６５、６７を個別の回路（ライトスイッチ５５ａと抵抗Ｒｃの回路）で構成してもよい。
【００３３】
電動工具本体１側の内部には、電池パック装着部１０に電池パック２３０が装着されたか、本実施例に係るＡＣ−ＤＣアダプタ２５が装着されたか否かを検出する判別スイッチ１７が設けられる。判別スイッチ１７は、電動工具本体にＡＣ−ＤＣアダプタ２５が装着された際にハイ出力を制御装置９０に出力し、電池パック２３０が装着された際には判別スイッチ１７はロー出力のまま、即ちゼロボルトとなる（尚、ハイ、ローの出力が逆になるようにしても良い）。このように判別スイッチ１７を設けたことにより電動工具本体１側の制御装置９０は、電池パック２３０による電源供給か、ＡＣ−ＤＣアダプタ２５からの電源供給かを判別することができる。この判別手段は省略することも可能であるが、制御装置９０がＡＣ−ＤＣアダプタ２５の装着状況を判別できることは電動工具本体１の制御において役に立つ。電池パック２３０からの電源供給に比べてＡＣ−ＤＣアダプタ２５からの電源供給の場合は、省電力を厳格に意識する必要がない上に使用する電源容量の制限がないため、モータ５の出力を電池パック２３０における駆動時よりも高く設定することが可能となる。例えば、モータの回転数を電池パックによる駆動時よりも上昇させるようにしても良い。また、ＡＣ−ＤＣアダプタ２５の電動ファン５９によって生成された冷却風をハウジング内部に導くことができるので、インバータ回路９１やモータ５の冷却という点でも有利である。
【００３４】
図６は本実施例に係る新型の電動工具本体１の電池パック装着部１０の底面図である。基本的な形状は図１２で示した従来の電動工具本体２０１の電池パック装着部２１０と同一であって、本実施例のＡＣ−ＤＣアダプタ２５用に新設したのは、曲面部１２ａに形成され突起部１４の角部分に判別用切欠き１５を設けて、そこに判別スイッチを設けたことである。また、平面部１２ｂと端子接続面１２ｃに複数のスリット状に形成される空気取入口１８、１９を設けたことである。判別スイッチ１７（図６では見えない）は、装着方向と平行方向に移動する判別スイッチ操作片１６を有する。判別スイッチ操作片１６は、判別用切欠き１５によって底面視で段差状に切り欠かれた範囲内に位置するため、従来の電動工具本体２０１に電池パック２３０が装着された際には押圧されず、判別スイッチ１７の出力がオフのままである。一方、本実施例のＡＣ−ＤＣアダプタ２５が新型の電動工具本体１に装着されたら、判別スイッチ操作片１６が後述する作用片４２の先端部分によって押されることにより判別スイッチ１７がオンとなる。この判別スイッチ１７のオンオフによって、電動工具本体２０１側の制御装置９０は電池パック２３０が装着されているのか、ＡＣ−ＤＣアダプタ２５が装着されているのかを判別できる。このように、電池パック装着部１０の形状の一部を工夫して、電源判別手段を設けたことにより、制御装置９０は装着された電源の種類によってモータ５の制御やその他の制御を変更することが可能となる。特に、ＡＣ−ＤＣアダプタ２５の装着時には作業時間の経過と共に電圧降下が生ずる心配がないので、省エネルギーを実現する制御をシビアに実行する必要が無い。また、ＡＣ−ＤＣアダプタ２５側の電動ファン５９で生成された冷却風を利用できるので（詳細は図７で後述）、発熱部分の安定的な冷却効果が期待できる。
【００３５】
図７は、新型の電動工具本体１に第一アダプタ部３０を装着した際の風の流れを説明するための図である。電動工具本体１の内部構造は図１２で説明した従来の電動工具本体２０１とほぼ同様であり、電池パック装着部１０にスリット状に形成される空気取入口１８、１９が設けられた点と、図６に示す突起部１４の角部分に判別用切欠き１５を設けて、その内部の点線で示す位置に判別スイッチ１７を設けた点にある。ＡＣ−ＤＣアダプタ２５の第一アダプタ部３０が電池パック装着部１０に取り付けられ、第二アダプタ部７０（図１参照）のプラグ部７４をコンセントに差し込み、ファンスイッチ５５ｂ（図１参照）を押すと、電動ファン５９の回転が開始する。電動ファン５９の回転によって外気がＣＡ１のように第一開口部たる空気取入口５２から第一アダプタ部３０のハウジングの内部に吸引される。吸引された冷却風ＣＡ１は、ハウジングの第二開口部である空気排出口３８、３９から矢印ＣＡ２のように、空気取入口１８、１９側に流れる。図では電池パック装着部１０と第一アダプタ部３０の上面を離して図示しているが、実際には密着した状態である。この密着した状態では、第一アダプタ部３０の空気排出口３８、３９と電動工具本体１側の空気取入口１８、１９は、第一アダプタ部３０の取り付け時にお互いのスリット部が一致する位置に対向する。空気取入口１８、１９を介して電動工具本体１の内部に流入した冷却風ＣＡ３は、モータ５の回転軸の取り付けられた冷却ファン（図示せず）で生成された冷却風（吸気口たる風窓７ａ等から吸引され、排気口たる風窓７ｂから排出される）に合流して風窓７ｂからハウジング２の外部に排出される。ハウジング２の内部空間、特にハンドル部を流れる冷却風ＣＡ３の流れ方や流れる位置は任意であるが、冷却風ＣＡ３を特定の箇所に流れるように導風板を設けたり、ハウジング２の内部に冷却風ＣＡ３用の風路を形成するようにしても良い。
【００３６】
以上説明したように、第一アダプタ部３０側の電動ファン５９によって生成された冷却用の空気を電動工具本体１のハウジング２の内部に導入することは、冷却上の大きなメリットをもたらす。図７で示す電動工具本体１はインパクト工具であり、ねじ締め作業等の断続的なモータ５の駆動を繰り返すため、モータ５の停止時には回転軸に取り付けられる冷却用のファン（図示せず）もその都度停止する。しかしながら、ＡＣ−ＤＣアダプタ２５を電源とする場合は、モータ５の回転と共に断続的に回転する第一の冷却ファンに加えて、第一アダプタ部３０側から電動工具本体１に連続して回転する第二の冷却ファン（電動ファン５９）による冷却風が導入されるので、２つの冷却ファンによる冷却風によって電動工具本体１内の十分な冷却性能を維持できる。
【００３７】
次に図８を用いて第一アダプタ部３０の第三開口たる空気排出口４０の開閉機構について説明する。図６、図７にて説明したように本実施例のＡＣ−ＤＣアダプタ２５を空気取入口１８、１９を有する新型の電動工具本体１に装着した際には図７で示すような冷却風ＣＡ２、ＣＡ３の流れが実現できる。しかしながら、従来の電動工具本体には空気取入口１８、１９が形成されていない。電動工具においては電池パック２３０の互換性を保つことが重要であり、本実施例のＡＣ−ＤＣアダプタ２５を従来の電動工具本体２０１に装着した際にも不具合が生じないようにすることが重要である。そこで、本実施例のＡＣ−ＤＣアダプタ２５では、第一アダプタ部３０の第二開口部（空気排出口３８、３９）とは別の第三開口部（空気排出口４０）を形成した。第一開口部（図７に示す空気取入口５２）から吸入された空気は、第二開口部又は第三開口部のいずれか一方から第一アダプタ部３０の外部に排出される。また、第三開口部たる空気排出口４０を利用しない際にその開口部分を閉鎖するための開閉機構をシャッター４１によって実現した。図８（１）は、空気排出口４０が開閉機構によって閉鎖されている状態を示す図であり、（２）は空気排出口４０が開放されている状態を示す図である。
【００３８】
図８（１）は、第一アダプタ部３０が電動工具本体に装着されている状態、又は、電動工具本体２０１に第一アダプタ部３０も電池パック２３０も装着されていない際の状態を示す図である。シャッター４１には、空気排出口４０の大きさと間隔が一致する開口部４１ａ（図８（２）参照）を有し、上側ハウジング３１の内側壁面に沿って矢印４８の方向に移動可能である。シャッター４１の左右両側方向の辺部は、上側ハウジング３１の内壁面に形成されたものであって、シャッター４１を保持するために形成される複数のリブ４６によって保持される。シャッター４１の上面には所定のシャッター４１よりも十分厚く形成された作用片４２が接続され、作用片４２と一番上側のリブ４６との間にスプリング４５が介在される。スプリング４５は圧縮バネであり、作用片４２を矢印４８ａの方向に付勢する。スプリング４５による付勢によって、作用片４２の先端部４２ａは、図８（１）の状態のようにストッパ部３５の角部に干渉する程度にまで突出する。第一アダプタ部３０が電動工具本体に装着されている状態では、作用片４２の先端部４２ａに判別スイッチ操作片１６（図６参照）が当接するが、スプリング４５の付勢力の方が判別スイッチ操作片１６のスプリング力よりも十分大きいので、判別スイッチ操作片１６側は移動するが、先端部４２ａの位置は移動しない。第一アダプタ部３０も電池パック２３０もいずれも装着されていない際には、先端部４２ａは図８（１）のように角部に突出した状態となる。なお、スプリング４５の配置は、作用片４２とリブ４６との間に限らず、隣り合うリブ４６とリブ４６の間、またはリブ４６と下側ハウジング５１の間であってもよく、スプリング４５を引っ張りバネとし、作用片４２を上側ハウジング３１へ向けて付勢するような構造であっても良い。
【００３９】
図８（２）は従来の電動工具本体２０１が接続された際の、シャッター４１の状態を示す図である。電動工具本体２０１に第一アダプタ部３０が装着されると、電動工具本体２０１の突起部２１４が矢印４９のように相対移動し、太点線で示す位置になる。この結果、作用片４２の先端部４２ａが押されることにより、作用片４２は矢印４８ｂのように押し込まれる。この状態ではシャッター４１の開口部４１ａと空気排出口４０の開口位置が一致するので空気排出口４０が開くことになり、第一アダプタ部３０のハウジング内から外部へ冷却風ＣＡ１を排出させることが可能となる。
【００４０】
図９（１）は、従来の電動工具本体２０１の電池パック装着部１１０の形状を示す斜視図である。電池パック装着部２１０の形状は、図６で示した新型の電動工具本体１とほぼ同様であり、異なる点は平面２１２ｂに空気取入口が無いこと、端子１３ａ〜１３ｃの後方側の面２１２ａにも空気取入口が無いこと、及び、突起部２１４の矢印２１４ａ付近の角部の形状が異なることである。それ以外は同じ形状、同じ寸法である。
【００４１】
図９（２）はＡＣ−ＤＣアダプタ２５の第一アダプタ部３０を従来の電動工具本体２０１に取り付けた際の空気排出口４０の開口状況を示す上面図である。（１）に示す電池パック装着部２１０に第一アダプタ部３０が装着されると、突起部２１４の角部（（１）の矢印２１４ａの部分）がストッパ部３５の角部分に突出している作用片４２を矢印４９ａの方向に押すことによりシャッター４１が斜め下方側にスライドし、空気排出口４０と開口部４１ａの位置が一致するので、第三開口部が開放されることになる。図９（３）は第一アダプタ部３０の側面図であり、その一部を（２）におけるＥ−Ｅ断面図にて示している。この図で示すように、従来の電動工具本体２０１を装着すると、作用片４２がスプリング４５の力に抗して斜め下方に押し下げられるため、シャッター４１の開口部４１ａの位置と、空気排出口４０の開口が一致することになる。
【００４２】
図１０は、従来の電動工具本体２０１に第一アダプタ部３０を装着した際の風の流れを説明するための図である。従来の電動工具本体２０１では、電池パック装着部１０の矢印２１８、２１９の箇所には空気取入口は設けられずに閉鎖状態である。そのため、第一アダプタ部３０を電動工具本体２０１に装着したとしても空気排出口３８、３９が矢印２１８、２１９の壁面によって塞がれた閉鎖状態とされる。しかしながら、従来の電動工具本体２０１にＡＣ−ＤＣアダプタ２５が装着された際には図８（２）のようにシャッター４１を移動させることにより空気排出口４０による第三開口部が開口する。この結果、電動ファン５９の回転によってＣＡ１のように吸い込まれた冷却風は、第三開口部たる空気排出口４０からＣＡ４のように排出される。このように第一アダプタ部３０の冷却風ＣＡの出口として、空気排出口３８，３９を利用するか、又は、空気排出口４０を利用するかを切り替える流路の切替手段を実現したので、本実施例のＡＣ−ＤＣアダプタ２５は、新型の電動工具本体１だけでなく、従来の電動工具本体２０１にも同様に装着して使用できる。また、ＡＣ−ＤＣアダプタ２５の使用に際して、ユーザは装着する電動工具本体１、２０１の種類を考慮する煩わしさから解放される。
【００４３】
以上、第一の実施例によれば電動工具本体にＡＣ−ＤＣアダプタ２５を装着して稼働時間の制限を受けること無く使用することが可能となった。また、第一アダプタ部３０内に収容された電源部を電動ファン５９によって強制的に冷却できるので、ＡＣ−ＤＣアダプタ２５に収容される回路部品の発熱を抑えるこができる。また、ＡＣ−ＤＣアダプタ２５側の冷却に加えて、電動工具本体１側の冷却をも行うことができるので、信頼性の高くて使い勝手の良い電動工具を実現できた。
【実施例２】
【００４４】
次に図１１を用いて本発明の第二の実施例に係るＡＣ−ＤＣアダプタ１２５を説明する。第一の実施例ではＡＣ−ＤＣアダプタ１２５の収容電子部品は、第一アダプタ部３０と第二アダプタ部７０に分けて収容されていた。このように分散配置をすれば、電動工具本体１、２０１側に装着される第一アダプタ部３０のハウジングのサイズが大きくなることを抑制できる。これに対して第二の実施例では、上側ハウジング３１と下側ハウジング５１の内部にすべての電子部品を収容するようにした。ハウジング１３０を構成する上側ハウジング３１と下側ハウジング５１は、第一アダプタ部３０と全く同様の部品を用いる。そのため、上側ハウジング３１に形成される端子群、ラッチ機構、空気排出口４０のシャッター４１等は同一である。下側ハウジング５１の側面には、照射装置６２、６４、６６が設けられるが、これらの構造も第一の実施例と同じである。下側ハウジング５１の内部には回路基板７３Ａが水平に設けられ、ここにはブリッジダイオード５７Ａ、電解コンデンサ５８Ａ、ヒューズ７５Ａ、アバランシェダイオード７６Ａ，チョークコイル７７Ａ、コンデンサ７８Ａが搭載される。ここに搭載される電子素子は、下側ハウジング５１の内部空間にすべてが収まるように第一の実施例よりも小型化することが重要である。尚、下側ハウジング５１の形状を変更して上下方向にその長さを長くして、第一の実施例の電子素子と同等のものを搭載するように構成しても良い。
【００４５】
下側ハウジング５１からは電源コード１６８が延びて、その先端にコンセント１７０が設けられる。コンセント１７０部分には回路基板は収容されないため、合成樹脂によってハウジング部分に鋳込むようにしてプラグ部１７４を覆うと良い。
【００４６】
以上のように、第二の実施例ではフィルタ回路、整流回路・安定化電源回路などをすべてハウジング１３０内に収容したので、電源コンセント付近に第二アダプタ部を設ける必要が無く、コンパクトで使いやすいＡＣ−ＤＣアダプタを実現できた。また、ハウジング１３０には、第一アダプタ部３０（図１０参照）と同様に第一から第三の開口部と風路を形成したため、収容される電子素子を効率良く冷却できる。
【００４７】
以上、本発明を実施例に基づいて説明したが、本発明は上述の実施例に限定されるものではなく、その趣旨を逸脱しない範囲内で種々の変更が可能である。例えば、ＡＣ−ＤＣアダプタが装着される電動工具本体、電気機器本体、その他の電源を用いる機器本体は、上述の例だけに限られずに、電池パックを用いる様々な機種に用いることができる。
【符号の説明】
【００４８】
１  電動工具本体      ２  ハウジング      ４  動作スイッチ（トリガ）
５  モータ      ６  回路基板      ７ａ、７ｂ  風窓      ８  先端工具装着部
９  制御回路基板      １０  電池パック装着部      １１ａ、１１ｂ  レール溝
１２ａ  曲面部      １２ｂ  平面部      １２ｃ  端子接続面
１３ａ、１３ｂ、１３ｃ  端子        １４  突起部      １５  判別用切欠き
１６  判別スイッチ操作片      １７  判別スイッチ      １８、１９  空気取入口
２５  ＡＣ−ＤＣアダプタ      ３０  第一アダプタ部      ３０ａ  前方壁
３１  上側ハウジング      ３１ａ  傾斜面      ３２  下段面      ３３  上段面
３４  隆起部      ３５  ストッパ部      ３６ａ、３６ｂ  レール  
３７  端子挿入口      ３８、３９  空気排出口（第二開口部）
４０  空気排出口（第三開口部）      ４１  シャッター
４１ａ  （シャッターの）開口部      ４２  作用片
４２ａ  （作用片の）先端部      ４５  スプリング      ４６  リブ
４７  リリースボタン      ５１  下側ハウジング
５２  空気取入口（第一開口部）      ５４  スイッチユニット
５５ａ  ライトスイッチ        ５５ｂ  ファンスイッチ
５６  回路基板      ５７、５７Ａ  ブリッジダイオード
５８、５８Ａ  電解コンデンサ      ５９  電動ファン      ６０  ファン用モータ
６０ａ  ファン駆動回路      ６１  取付部      ６２  照射装置
６２ａ  揺動基台      ６２ｂ  揺動軸      ６２ｃ  基板      ６２ｄ  リード線
６３  ＬＥＤ      ６４、６６  照射装置      ６４ａ、６６ａ  カバー
６４ｂ、６６ｂ  回転基台      ６４ｃ、６６ｃ  基板
６４ｄ、６６ｄ  リード線      ６５、６７  ＬＥＤ      ６８  電源コード
７０  第二アダプタ部      ７０ａ、７０ｂ  （第二アダプタ部の）側面
７１  上側ハウジング      ７２  下側ハウジング      ７３、７３Ａ  回路基板
７４  プラグ部      ７４ａ、７４ｂ  端子      ７５、７５Ａ  ヒューズ
７６、７６Ａ  アバランシェダイオード      ７７、７７Ａ  チョークコイル
７８、７８Ａ  コンデンサ      ９０  制御装置      ９１  インバータ回路
９２  位置検出回路      ９３  ダイオード      ９４  電解コンデンサ
９９  商用電源      １２５  ＡＣ−ＤＣアダプタ      １３０  ハウジング
１６８  電源コード      １７０  コンセント      ２０１  電動工具本体
２１０  電池パック装着部      ２１４  突起部      ２３０  電池パック
Ｑ１〜Ｑ６  スイッチング素子
ＣＡ１〜ＣＡ４  冷却風
【図１】
2018183827.tif 000003
【図２】
2018183827.tif 000004
【図３】
2018183827.tif 000005
【図４】
2018183827.tif 000006
【図５】
2018183827.tif 000007
【図６】
2018183827.tif 000008
【図７】
2018183827.tif 000009
【図８】
2018183827.tif 000010
【図９】
2018183827.tif 000011
【図１０】
2018183827.tif 000012
【図１１】
2018183827.tif 000013
【図１２】
2018183827.tif 000014
【図１３】
2018183827.tif 000015